(57)【要約】【課題】施工を簡単に行え、かつ工事コストを大きく低減できる木本類生育による法面の緑化方法、特に地元種（郷土種）による緑化を行うことのできる法面の緑化方法および法面緑化具を提供する。【解決手段】法面の緑化方法は、雨水を貯水可能である貯水器（貯水容器１２）と、自然分解可能な部材で構成されるとともに貯水器を支持する支持部材（支持器１１）と、鳥が貯水器に貯水された水を飲むためにとまるとまり部材（とまり木１３）とを有する貯水装置１を植生基材２が載置された法面４上に配置し、鳥による種子散布を誘導することによって法面４を緑化する。【選択図】　図１
2004137700.tif 000002
【特許請求の範囲】
【請求項１】
法面上もしくは法面上に配置した植生基材上にマルチを載置し、マルチの上方に、
水を溜めることが可能な貯水器と、
貯水器に溜まった水を飲むために鳥がとまることが可能なとまり部材と、
貯水器を法面上に支持するための自然分解可能な部材からなる支持部材と、
を有する貯水装置を配置することにより、
鳥を貯水器に集めることにより鳥の糞で散布可能な鳥散布型樹種の種子散布を誘導し、木本類の地元種の種子が法面上に散布されることで法面の緑化を図ることを特徴とする法面の緑化方法。
【請求項２】
雨水を貯水可能な貯水器と、
貯水器に溜まった水を飲むために鳥がとまることが可能なとまり部材と、
前記貯水器を支持する支持部材とを備える法面緑化具であって、
前記支持部材は前記貯水器を装着可能な載置台と、前記載置台の下面より下方向に延伸されてなる複数の脚部とを備え、
前記脚部の少なくとも一の端面を法面の傾斜に応じた傾斜面とすることにより、前記脚部は法面に対し前記載置台を略水平に保持してなり、
かつ前記支持部材は自然分解可能な部材で形成されてなることを特徴とする法面緑化具。
【発明の詳細な説明】
【０００１】
【発明の属する技術分野】
本発明は、道路建設等に伴う切土法面や盛土法面などによる人工的な斜面を緑化する法面の緑化方法に関し、特に、鳥による種子散布を誘導することによって法面を緑化する法面の緑化方法に関する。
【０００２】
【従来の技術】
従来から、たとえば道路建設、山腹法面、宅地造成に伴う切土法面や盛土法面などによる人工的な斜面を、その保護と景観を保持するために植物を植生し、法面の緑化を図ることが行われている。近年、植物の植生は草本類に木本類も含めた緑化方法、および日本産の種中心の緑化方法に移行しつつある。特に、その地域に存在する植物で、しかも木本類を主体とする法面の緑化方法が望まれている。
【０００３】
このような法面の緑化方法としては、たとえば、法面に対して土止め柵を配置し、客土を施して稚苗を育苗することによって法面の植生を行う緑化方法や、吹き付け工法により木本種子を混入して３〜７ｃｍの厚さに客土する緑化方法（いわゆる播種工法）が知られている（例えば非特許文献１を参照）。
【０００４】
【非特許文献１】
特許庁、”技術分野別特許マップ　一般１１　コンクリート製品　第２章　技術開発の課題と展開、２．２特定製品、２．２．１擁壁用製品（擁壁の緑化）”、インターネット＜ＵＲＬ：ｈｔｔｐ：／／ｗｗｗ．ｊｐｏ．ｇｏ．ｊｐ／ｒｙｕｔｕ／ｍａｐ／ｉｐｐａｎ１１／ｆｒａｍｅ．ｈｔｍ＞
【０００５】
【発明が解決しようとする課題】
しかしながら、前者の緑化方法においては施工が煩雑であり、また工事コストが高くなるという問題があった。一方後者の緑化方法においては、前者と比較すると工事コストは抑制できるものの、対象樹が限られており、また木本類は草本類と比較して成長が遅いため混播あるいは侵入してきた草本類に被圧されて枯損する場合が多く、施工時期が限られるという問題があった。
【０００６】
本発明はこのような問題に鑑みてなされたものである。本発明の主な目的は、施工を簡単に行え、かつ工事コストを大きく低減でき、特に地元種（郷土種）による緑化を行うことのできる法面の緑化方法および法面緑化具を提供することにある。
【０００７】
【課題を解決するための手段】
上記目的を達成するために、本発明の法面の緑化方法は、法面上もしくは法面上に配置した植生基材上にマルチを載置し、マルチの上方に、水を溜めることが可能な貯水器と、貯水器に溜まった水を飲むために鳥がとまることが可能なとまり部材と、貯水器を法面上に支持するための自然分解可能な部材からなる支持部材とを有する貯水装置を配置する。これによって、鳥を貯水器に集めることにより鳥の糞で散布可能な鳥散布型樹種の種子散布を誘導し、木本類の地元種の種子が法面上に散布されることで法面の緑化を図ることを特徴とする。
【０００８】
貯水器は雨水を貯水可能である。この構成によって、貯水器に貯水するための装置を別途必要とすることがなく、また貯水装置を維持管理する必要がなくなる。さらに支持部材を自然分解可能な部材で構成することによって、支持部材による木本類等の成長の阻害を防止することができる。
【０００９】
また本発明の法面緑化具は、雨水を貯水可能な貯水器と、貯水器に溜まった水を飲むために鳥がとまることが可能なとまり部材と、前記貯水器を支持する支持部材とを備える法面緑化具であって、前記支持部材は前記貯水器を装着可能な載置台と、前記載置台の下面より下方向に延伸されてなる複数の脚部とを備えている。また前記脚部の少なくとも一の端面を法面の傾斜に応じた傾斜面とすることにより、前記脚部は法面に対し前記載置台を略水平に保持している。さらに前記支持部材は自然分解可能な部材で形成されている。
【００１０】
【発明の実施の形態】
以下、図１乃至図２を用いて本発明の法面の緑化方法および法面緑化具に係る実施の形態を説明する。ただし、以下に示す実施の形態および実施例は、本発明の技術思想を具体化するための法面の緑化方法および法面緑化具を例示するものであって、本発明は法面の緑化方法および法面緑化具を下記のものに特定するものでなく、また各構成に付された番号に対応する具体例に特定するものでもない。なお各図面が示す部材の大きさや位置関係などは、説明を明確にするため誇張していることがある。さらに、本発明を構成する各要素は、複数の要素を同一の部材で構成して一の部材で複数の要素を兼用する態様としてもよい。
【００１１】
本発明の法面の緑化方法にかかる実施の形態においては、雨水を貯水可能である貯水器（貯水容器１２）と、自然分解可能な部材で構成されるとともに貯水器を支持する支持部材（支持器１１）と、鳥が貯水器に貯水された水を飲むためにとまるとまり部材（とまり木１３）とを有する貯水装置１を、植生基材２およびマルチ５が載置された法面４上に配置し、鳥による種子散布を誘導することによって法面４を緑化する。
【００１２】
図１は、貯水装置１を植生基材２およびマルチ５が載置された法面４に配置したときの側面断面図であり、図２は、貯水装置１を植生基材２が載置された法面４に配置したときの正面図である。法面４は、切土法面や盛土法面などによる人工的な斜面から形成される。法面４は、たとえば格子状に形成された法枠コンクリート３が配置される。この法枠コンクリート３によって区切られた法面４のブロックには、例えば団粒化促進剤によって団粒化し通気性、保水性を備えると共に雨水などによる流出を防止する処理がなされた土等からなる植生基材２が載置されている。さらに植生基材２上には、ワラ等からなるマルチ５が配置される。植生基材２は、法面が岩盤状など木本類の生育に適さない環境の場合に好適に利用できる。
【００１３】
なお、植生基材２を省略して、マルチ５のみを法面４上に載置する構成としてもよい。マルチ５を載置することによって、鳥の糞により緑化具から法面上に落下した樹種（種子）がマルチ５の隙間に入り込み、表面に露出しない状態となるため、樹種の発芽生育に好ましい。またマルチ５は人工的に載置する他、木の枝や落ち葉などが自然に堆積されマルチ５を構成しているものを利用しても良い。
【００１４】
貯水装置１は、たとえば木製の支持器１１の上部に配置された略直方体で上面が開口された貯水容器１２と、貯水容器１２の上部に鳥が貯水容器１２に貯水された水を飲むためにとまるための略断面円形の棒状のとまり木１３とを有する。貯水容器１２は、たとえば金属製、プラスチック製、木製、紙製等で作ることができ、貯水できるように漏水処理されていればよい。また、とまり木１３は、木製に限定されず、プラスチック製、金属製、あるいは紐等で構成することができ、所望の樹木の種子を運ぶ鳥がとまりやすい形状、材質であればよい。
【００１５】
支持器１１は上枠を貯水器を装着する載置台とし、載置台の下面より下方向に延伸して複数の脚部としている。脚部の端面を法面の傾斜に応じた傾斜面とすることによって、貯水器を装着した載置台を法面に対し略水平に保持している。図１及び２に示す支持器１１は、法面４の傾斜に対して上方に配置される上方支持柱と、法面４の傾斜に対して下方に配置され上方支持柱よりも高さが高い下方支持柱と、それぞれの支持柱の上部に貯水容器１２をほぼ水平に支持する略長方形状に形成された外枠と、上方支持柱と下方支持柱の側面水平方向の強度を補強するために上方支持柱と下方支持柱とに取り付けられた水平支持部材と、上方支持柱および下方支持柱の正面水平方向の強度を補強する上方支持柱および下方支持柱外枠と外枠に取り付けられる傾斜支持部材と、上方支持柱の下端部と下方支持柱の下端部に取り付けられた固定部材とから構成される。この貯水装置１が法面４に載置された植生基材２上に配置され、貯水装置１の固定部材に固定用打ち込み釘１４やボルト等を打ち込むことによって法面４に固定されている。
【００１６】
上述のように、貯水装置１を植生基材２が載置された法面４上に配置することによって、貯水器に貯水された水を飲むためとまり木１３にとまった鳥の排糞により、鳥が食べた種子が貯水装置１周辺の植生基材２およびマルチ５上に散布され、発根・発芽し、その種子の植物が成長して法面が緑化される。山麓において、鳥による排糞によって散布される樹種は、６月〜７月上旬にかけて散布されるヤマモモ、タブノキ、夏から秋にかけて散布されるイヌビワ、アカメガシワ、秋から初冬にかけて散布されるエノキ、ムクノキ、１１月〜２月にかけて散布されるネズミモチ、シャリンバイ、ヒサカキ、トベラ、クスノキ、モチノキ、クロガネモチ、さらにほぼ１年中散布されるヤマハゼ、ヌルデ等多種にわたる。このように地元種（郷土種）と呼ばれる樹種の多くは鳥散布型であり、本発明の実施の形態に係る法面の緑化方法は地元種（郷土種）による緑化が期待できる。また、その樹種に最も適した時期に、その種子が散布されるという効果がある。
【００１７】
たとえば、盛土法面でいわゆるトンネルのズリ等の硬質砕岩主体の法面において、植生がほとんどない場合に、本発明に係る実施形態を適用したとき、先駆樹種であるアカメガシワ、ヌルデ、ヤマハゼ等の成長が期待される。また、同様に、硬質砕岩主体の法面において、２〜３年経過し草本類が若干生育している場合に、本発明に係る実施形態を適用したとき、アカメガシワ、ヌルデ、ヤマハゼに加えてヒサカキ、イヌビワ等の成長が期待される。
【００１８】
さらに、盛土法面で軟質砕岩や粘土分が多く含まれる法面において、植生がほとんどない場合に、本発明に係る実施形態を適用したとき、アカメガシワ、ヌルデ、ヤマハゼ、ヒサカキ、イヌビワ、ヤマモモ、クスノキ等の成長が期待される。また、同様に、軟質砕岩や粘土分が多く含まれる法面において、２〜３年経過し草本類が若干生育している場合あるいは草本類の種子吹き付け工法を施している場合に、本発明に係る実施形態を適用したときも同じくアカメガシワ、ヌルデ、ヤマハゼ、ヒサカキ、イヌビワ、ヤマモモ、クスノキ等の成長が期待される。
【００１９】
切土法面あるいは盛土法面でワラ等によるマルチングが施されている場合に、本発明に係る実施形態を適用したとき、アカメガシワ、ヌルデ、ヤマハゼ、ヒサカキ、イヌビワ、ヤマモモ、クスノキ、マサキ、ネズミモチ等の発芽・初期成長が期待される。これら樹種のうちヤマモモ、クスノキ、ヒサカキ、マサキ、ネズミモチ等は土壌が比較的軟質で適湿の条件において大きく成長することが期待される。なおマルチングとはマルチにより被覆することであり、マルチは一般に土壌水分の蒸発を防止し、土壌の温度を一定に保ち、雑草の発生を抑制し、地味を肥やす等の目的で土壌を覆うのに用いられ、稲などのわら、干し草、木の葉や小枝等の有機材料が使用される。また、わらで構成したむしろをマルチとして使用することもできる。
【００２０】
切土法面あるいは盛土法面で厚さ３〜５ｃｍの植生基材が配置されている場合、本発明に係る実施形態を適用したとき、草本類に被圧されない条件においては、同じくアカメガシワ、ヌルデ、ヤマハゼ、ヒサカキ、イヌビワ、ヤマモモ、クスノキ、マサキ、ネズミモチ等の発芽・初期成長が期待され、これら樹種のうちヤマモモ、クスノキ、ヒサカキ、マサキ、ネズミモチ等は土壌が比較的軟質で適湿の条件において大きく成長することが期待される。植生基材は厚層基材等とも呼ばれ、雨で流出しないように団粒化促進剤等を混入させることができる。
【００２１】
以上説明した本発明の実施の形態にかかる法面の緑化方法においては、貯水装置を植生基材が載置された法面上に配置するだけでその効果が長期にわたって持続することから、その樹種の豊作年、不作年の影響を受けることが少ない。さらに、種子を収集したり育苗する必要がなく、手間や管理の必要も殆ど無く、工事コストを大きく低減できるという効果もある。
【００２２】
ここでは、自然分解可能な部材から構成される支持部材としての支持器が菌類、微生物などにより分解可能な木から構成される例を示したが、微生物等によって分解可能な生分解性プラスチックなどから構成することもできる。また、貯水器も、同様に、木、紙、あるいは生分解性プラスチック等、自然分解可能な部材から構成されることが生態系の保全上好ましい。
【００２３】
生分解性プラスチックは、微生物の酵素の作用によって分解され低分子化するプラスチックであり、脂肪族ポリエステルなどが知られている。また、酵素がなくても水の存在下で容易に加水分解するポリ乳酸のような高分子も生分解性高分子として利用可能である。生分解性高分子は加水分解により水、二酸化炭素、メタンなどに分解される。天然高分子としてはコラーゲン、デンプンなどのタンパク質や多糖類があり、合成高分子としてはポリ乳酸の他、ポリグリコール酸、ポリエチレンスクシナートなどの脂肪族ポリエステルが挙げられる。
【００２４】
このように自然分解可能な部材で構成することで、自然環境に優しい法面緑化が実現される。貯水装置を法面に放置した場合でも長期的には分解され土に戻るからである。さらには、たとえば木本類が成長した場合でも、貯水装置が分解されることによって木本類の成長を阻害することがないからである。たとえ完全に貯水装置が分解されていないときでも、これら自然分解により支持部材等の強度が低下していれば同様の効果が期待できる。
【００２５】
また、本発明の実施の形態に係る法面の緑化方法においては貯水器を法面よりも上方に支持する支持器を有することが好ましい。より広い範囲に鳥による種子散布が行われるからである。さらに、貯水器は、貯水容器とは別に、たとえば漏斗状の雨水収集器を別体で配置して貯水容器に雨水が流れ込む構成としてもよい。また、とまり部材は貯水容器の縁と兼用することもできる。
【００２６】
【実施例】
以下に本発明の法面の緑化方法および法面緑化具に係る実施例およびその試験結果を説明する。上述のように、貯水容器１２ととまり木１３とを有する支持器１１を備えた貯水装置１を備える法面緑化具を、植生基材２が載置された法面上の１箇所に配置した。このような法面を６月〜翌年の６月の期間で実験を行った。法面緑化具は完全に放置され、雨水だけを貯水した。１年間、法面緑化具を使った法面の緑化方法を実施し、法面の１．７ｍ×１．４ｍの範囲を観測したところ、成長１年未満の樹種としてヤマハゼ１本、ネズミモチ２４本、シャリンバイ３本、マサキ２本、トベラ７本と認められ、成長１年以上の樹種としてヤマハゼ２本、ネズミモチ８本、トベラ１本、マサキ１本と認められた。ここで、成長１年以上の樹種は法面緑化具の設置以前から存在していたものであり、成長１年未満の樹種が法面緑化具によって育成されたと考えられる。
【００２７】
［比較例］
次に上記実施例と比較するための比較例を説明する。本比較例においては、貯水容器のない、とまり木を有する支持器を、同じく、植生基材が載置された法面上の２箇所に配置した。このような法面を上記実施例と同じく６月〜翌年の６月の期間で実験を行った。１年後、この法面の１．７ｍ×１．４ｍの範囲、２箇所を観測したところ、２箇所の観測結果の合計が、成長１年未満の樹種としてヤマハゼ１本、ネズミモチ２本、シャリンバイ１本、マサキ１本と認められ、成長１年以上の樹種としてネズミモチ１０本、シャリンバイ１本、トベラ２本、マサキ２本と認められた。
【００２８】
本実施例と比較例との観測結果を比較すると、試験を行う前に鳥散布されたと思われる成長１年以上の樹種の観測本数は本実施例および比較例各樹種において同等であるのに対して、成長１年未満の樹種の観測本数は本実施例が比較例よりも多いという結果が得られた。本実施例においては、特に、成長１年未満の樹種としてネズミモチが多く観測された。このことから、貯水器のない、とまり木を有する支持器を、同じく、植生基材が載置された法面上に配置した比較例と比較して、本発明の法面の緑化方法を適用した法面の方が緑化に対して効果が高いことが確認された。
【００２９】
【発明の効果】
以上説明したとおり、本発明の法面の緑化方法および法面緑化具は、簡単かつ安価な工法で効果的に緑化を図ることができる優れた特長を実現する。それは、本発明の法面の緑化方法および法面緑化具が、水飲み場に集まる鳥の性質を利用して、鳥の糞で散布される鳥散布型樹種を法面上に散布しているからである。鳥を集めるために本発明では雨水を溜める貯水器を利用している。貯水器には雨水が自然に溜まるため、給水などの管理や保守の必要はない。しかも設備自体は簡単な構造であるため、施工自体も容易であり、コストも極めて安価である。さらに本発明によれば種子を別途用意して散布、育苗する必要もない上、鳥の糞によって樹種の本来の散布時期に種子散布が行われるため、適切な季節に適切な樹種が育成されるというメリットもある。加えて法面の近隣に生育するほとんどの鳥散布型樹種に適用でき、特に地元種（郷土種）の多くは鳥散布型であるため、法面の所在する地域毎の郷土種によって緑化が実現されるという優れた特長も実現される。このように本発明によれば、簡単かつ安価な工法で効果的な法面の緑化を図ることができる法面緑化方法および法面緑化具が提供される。
【図面の簡単な説明】
【図１】本発明の実施の形態に係る法面の緑化方法における、貯水装置を植生基材が載置された法面に配置したときの側面断面図である。
【図２】本発明の実施の形態に係る法面の緑化方法における、貯水装置を植生基材が載置された法面に配置したときの正面図である。
【符号の説明】
１　・・・　貯水装置
２　・・・　植生基材
３　・・・　法枠コンクリート
４　・・・　法面
５　・・・　マルチ
１１　・・・　支持器
１２　・・・　貯水容器
１３　・・・　とまり木
１４　・・・　固定用打ち込み釘
【図１】
2004137700.tif 000003
【図２】
2004137700.tif 000004